(57)【要約】      （修正有）【課題】部品点数の削減及び組立工程の工数の削減を図ることができる電子機器を提供する。【解決手段】第１の固定部２０を有するシャーシ８と、第２の固定部２２を有し、且つ、シャーシ８に対して固定されるディスクドライブと、を備え、第１の固定部２０には、固定面２４及び固定面２４を貫通する開口部２６が設けられ、第２の固定部２２は、開口部２６に向けて延びる脚部３８と、脚部３８から突出し、且つ、固定面２４を挟んで互いに反対側に配置された一対の突出部４０，４２と、を有し、第１の固定部２０は、第２の固定部２２に押し当てられるフック部３４を有している。【選択図】図４
2015026407.tif 000002
【特許請求の範囲】
【請求項１】
第１の固定部を有する第１の部材と、
第２の固定部を有し、且つ、前記第１の部材に対して固定される第２の部材と、を備え、
前記第１の固定部には、固定面及び前記固定面を貫通する開口部が設けられ、
前記第２の固定部は、
前記開口部に向けて延びる脚部と、
前記脚部から突出し、且つ、前記固定面を挟んで互いに反対側に配置された一対の突出部と、を有し、
前記第１の固定部及び前記第２の固定部の一方は、前記第１の固定部及び前記第２の固定部の他方に押し当てられるフック部を有しており、
前記第２の部材は、前記第１の部材に対して前記固定面と略平行な方向にスライドされた際に、
前記脚部の端部が前記開口部の周縁部に接触し、且つ、前記フック部が前記第１の固定部及び前記第２の固定部の他方に押し当てられることにより、前記第１の部材に対して前記第２の部材のスライド方向に固定され、
前記脚部の前記端部が前記開口部の前記周縁部に嵌まり込むことにより、前記第１の部材に対して前記第２の部材のスライド方向と略垂直な方向且つ前記固定面と略平行な方向に固定され、
前記第１の固定部の一部が前記一対の突出部の間に挟み込まれることにより、前記第１の部材に対して前記固定面と略垂直な方向に固定される
電子機器。
【請求項２】
前記第１の固定部は、さらに、前記固定面から前記固定面と略垂直な方向に突出する突起を有しており、
前記第２の部材は、前記一対の突出部の一方が前記第１の固定部の前記固定面とは反対側の面に接触し、且つ、前記一対の突出部の他方が前記突起に接触することにより、前記第１の部材に対して前記固定面と略垂直な方向に固定される
請求項１に記載の電子機器。
【請求項３】
前記一対の突出部の各々の前記第２の部材のスライド方向における端部には、傾斜部が設けられている
請求項２に記載の電子機器。
【請求項４】
前記開口部は、前記第２の部材のスライド方向に延びるスリット部を有しており、
前記第２の部材は、
前記脚部の前記端部が前記スリット部の周縁部に接触し、且つ、前記フック部が前記第１の固定部及び前記第２の固定部の他方に押し当てられることにより、前記第１の部材に対して前記第２の部材のスライド方向に固定され、
前記脚部の前記端部が前記スリット部の前記周縁部に嵌まり込むことにより、前記第１の部材に対して前記第２の部材のスライド方向と略垂直な方向且つ前記固定面と略平行な方向に固定される
請求項１〜３のいずれか１項に記載の電子機器。
【請求項５】
前記スリット部の幅の一部は、前記第２の部材のスライド方向に漸減している
請求項４に記載の電子機器。
【請求項６】
前記フック部は、前記第１の固定部に設けられており、
前記第２の部材は、前記脚部の前記端部が前記開口部の前記周縁部に接触し、且つ、前記フック部が前記一対の突出部の一方に押し当てられることにより、前記第１の部材に対して前記第２の部材のスライド方向に固定される
請求項１〜５のいずれか１項に記載の電子機器。
【請求項７】
前記一対の突出部の一方には、前記フック部が押し当てられる凹部が設けられている
請求項６に記載の電子機器。
【請求項８】
前記フック部は、前記脚部に設けられており、
前記第２の部材は、前記脚部の前記端部が前記開口部の前記周縁部に接触し、且つ、前記フック部が前記第１の固定部の一部に押し当てられることにより、前記第１の部材に対して前記第２の部材のスライド方向に固定される
請求項１〜５のいずれか１項に記載の電子機器。
【請求項９】
前記電子機器は、ディスクを再生するためのディスク装置であり、
前記第１の部材は、シャーシであり、
前記第２の部材は、前記シャーシに対して固定され、且つ、前記ディスクを駆動するためのディスクドライブである
請求項１〜８のいずれか１項に記載の電子機器。
【請求項１０】
第１の部材に対して第２の部材を固定するための固定構造であって、
前記第１の部材に設けられた第１の固定部と、
前記第２の部材に設けられた第２の固定部と、を備え、
前記第１の固定部には、固定面及び前記固定面を貫通する開口部が設けられ、
前記第２の固定部は、
前記開口部に向けて延びる脚部と、
前記脚部から突出し、且つ、前記固定面を挟んで互いに反対側に配置された一対の突出部と、を有し、
前記第１の固定部及び前記第２の固定部の一方は、前記第１の固定部及び前記第２の固定部の他方に押し当てられるフック部を有しており、
前記第２の部材は、前記第１の部材に対して前記固定面と略平行な方向にスライドされた際に、
前記脚部の端部が前記開口部の周縁部に接触し、且つ、前記フック部が前記第１の固定部及び前記第２の固定部の他方に押し当てられることにより、前記第１の部材に対して前記第２の部材のスライド方向に固定され、
前記脚部の前記端部が前記開口部の前記周縁部に嵌まり込むことにより、前記第１の部材に対して前記第２の部材のスライド方向と略垂直な方向且つ前記固定面と略平行な方向に固定され、
前記第１の固定部の一部が前記一対の突出部の間に挟み込まれることにより、前記第１の部材に対して前記固定面と略垂直な方向に固定される
固定構造。
【発明の詳細な説明】
【技術分野】
【０００１】
本発明は、例えばディスク装置等の電子機器及びこれに用いられる固定構造に関する。
【背景技術】
【０００２】
例えば、ディスクに記録された情報を再生するためのディスク装置が知られている（例えば、特許文献１参照）。このディスク装置は、シャーシと、シャーシに固定されたディスクドライブと、を備えている。従来のディスク装置では、ディスクドライブは、複数のネジによってシャーシに固定されている。
【先行技術文献】
【特許文献】
【０００３】
【特許文献１】特開２００９−４８７０８号公報
【発明の概要】
【発明が解決しようとする課題】
【０００４】
しかしながら、上述した従来のディスク装置では、次のような課題が生じる。第１に、ディスクドライブをシャーシに固定するための複数のネジが必要であるので、これら複数のネジの分だけディスク装置の部品点数が増大するという課題が生じる。第２に、ディスク装置の組立工程において、ディスクドライブをシャーシに固定する際に複数のネジをそれぞれ締め付ける作業が必要であるので、ディスク装置の組立工程の工数が増大するという課題が生じる。
【０００５】
本発明は、上述した課題を解決しようとするものであり、その目的は、部品点数の削減及び組立工程の工数の削減を図ることができる電子機器及び固定構造を提供することである。
【課題を解決するための手段】
【０００６】
上記目的を達成するために、本発明の一態様に係る電子機器は、第１の固定部を有する第１の部材と、第２の固定部を有し、且つ、前記第１の部材に対して固定される第２の部材と、を備え、前記第１の固定部には、固定面及び前記固定面を貫通する開口部が設けられ、前記第２の固定部は、前記開口部に向けて延びる脚部と、前記脚部から突出し、且つ、前記固定面を挟んで互いに反対側に配置された一対の突出部と、を有し、前記第１の固定部及び前記第２の固定部の一方は、前記第１の固定部及び前記第２の固定部の他方に押し当てられるフック部を有しており、前記第２の部材は、前記第１の部材に対して前記固定面と略平行な方向にスライドされた際に、前記脚部の端部が前記開口部の周縁部に接触し、且つ、前記フック部が前記第１の固定部及び前記第２の固定部の他方に押し当てられることにより、前記第１の部材に対して前記第２の部材のスライド方向に固定され、前記脚部の前記端部が前記開口部の前記周縁部に嵌まり込むことにより、前記第１の部材に対して前記第２の部材のスライド方向と略垂直な方向且つ前記固定面と略平行な方向に固定され、前記第１の固定部の一部が前記一対の突出部の間に挟み込まれることにより、前記第１の部材に対して前記固定面と略垂直な方向に固定される。
【０００７】
本態様によれば、第１の部材は第１の固定部を有し、第２の部材は第２の固定部を有しているので、第２の部材が第１の部材に対して固定面と略平行な方向にスライドされることにより、第２の固定部が第１の固定部に固定される。これにより、例えばネジ等を用いることなく、第２の部材を第１の部材に対して互いに略直交する三方向に固定することができる。その結果、電子機器の部品点数を削減することができ、且つ、電子機器の組立工程の工数を削減することができる。
【０００８】
例えば、本発明の一態様に係る電子機器において、前記第１の固定部は、さらに、前記固定面から前記固定面と略垂直な方向に突出する突起を有しており、前記第２の部材は、前記一対の突出部の一方が前記第１の固定部の前記固定面とは反対側の面に接触し、且つ、前記一対の突出部の他方が前記突起に接触することにより、前記第１の部材に対して前記固定面と略垂直な方向に固定されるように構成してもよい。
【０００９】
本態様によれば、第１の固定部は突起を有しているので、一対の突出部の一方が第１の固定部の固定面とは反対側の面に接触し、且つ、一対の突出部の他方が突起に接触することにより、第２の部材を第１の部材に対して固定面と略垂直な方向に容易に固定することができる。
【００１０】
例えば、本発明の一態様に係る電子機器において、前記一対の突出部の各々の前記第２の部材のスライド方向における端部には、傾斜部が設けられているように構成してもよい。
【００１１】
本態様によれば、一対の突出部の各々の第２の部材のスライド方向における端部には傾斜部が設けられているので、一対の突出部の一方を第１の固定部の固定面とは反対側の面に沿ってスムーズにスライドさせることができるとともに、一対の突出部の他方を突起にスムーズに乗り上げさせることができる。
【００１２】
例えば、本発明の一態様に係る電子機器において、前記開口部は、前記第２の部材のスライド方向に延びるスリット部を有しており、前記第２の部材は、前記脚部の前記端部が前記スリット部の周縁部に接触し、且つ、前記フック部が前記第１の固定部及び前記第２の固定部の他方に押し当てられることにより、前記第１の部材に対して前記第２の部材のスライド方向に固定され、前記脚部の前記端部が前記スリット部の前記周縁部に嵌まり込むことにより、前記第１の部材に対して前記第２の部材のスライド方向と略垂直な方向且つ前記固定面と略平行な方向に固定されるように構成してもよい。
【００１３】
本態様によれば、開口部は第２の部材のスライド方向に延びるスリット部を有しているので、脚部の端部がスリット部の周縁部に嵌まり込むことにより、第２の部材を第１の部材に対して第２の部材のスライド方向と略垂直な方向且つ固定面と略平行な方向に容易に固定することができる。
【００１４】
例えば、本発明の一態様に係る電子機器において、前記スリット部の幅の一部は、前記第２の部材のスライド方向に漸減しているように構成してもよい。
【００１５】
本態様によれば、スリット部の幅の一部は第２の部材のスライド方向に漸減しているので、脚部の端部をスリット部の周縁部にスムーズに嵌め込むことができる。
【００１６】
例えば、本発明の一態様に係る電子機器において、前記フック部は、前記第１の固定部に設けられており、前記第２の部材は、前記脚部の前記端部が前記開口部の前記周縁部に接触し、且つ、前記フック部が前記一対の突出部の一方に押し当てられることにより、前記第１の部材に対して前記第２の部材のスライド方向に固定されるように構成してもよい。
【００１７】
本態様によれば、フック部を第１の固定部に設けることができる。
【００１８】
例えば、本発明の一態様に係る電子機器において、前記一対の突出部の一方には、前記フック部が押し当てられる凹部が設けられているように構成してもよい。
【００１９】
本態様によれば、一対の突出部の一方には凹部が設けられているので、より確実にフック部を凹部に押し当てることができる。
【００２０】
例えば、本発明の一態様に係る電子機器において、前記フック部は、前記脚部に設けられており、前記第２の部材は、前記脚部の前記端部が前記開口部の前記周縁部に接触し、且つ、前記フック部が前記第１の固定部の一部に押し当てられることにより、前記第１の部材に対して前記第２の部材のスライド方向に固定されるように構成してもよい。
【００２１】
本態様によれば、フック部を第２の固定部に設けることができる。
【００２２】
例えば、本発明の一態様に係る電子機器において、前記電子機器は、ディスクを再生するためのディスク装置であり、前記第１の部材は、シャーシであり、前記第２の部材は、前記シャーシに対して固定され、且つ、前記ディスクを駆動するためのディスクドライブであるように構成してもよい。
【００２３】
本態様によれば、電子機器はディスク装置であるので、第２の部材としてのディスクドライブを第１の部材としてのシャーシに対して互いに略直交する三方向に固定することができる。
【００２４】
例えば、本発明の一態様に係る固定構造は、第１の部材に対して第２の部材を固定するための固定構造であって、前記第１の部材に設けられた第１の固定部と、前記第２の部材に設けられた第２の固定部と、を備え、前記第１の固定部には、固定面及び前記固定面を貫通する開口部が設けられ、前記第２の固定部は、前記開口部に向けて延びる脚部と、前記脚部から突出し、且つ、前記固定面を挟んで互いに反対側に配置された一対の突出部と、を有し、前記第１の固定部及び前記第２の固定部の一方は、前記第１の固定部及び前記第２の固定部の他方に押し当てられるフック部を有しており、前記第２の部材は、前記第１の部材に対して前記固定面と略平行な方向にスライドされた際に、前記脚部の端部が前記開口部の周縁部に接触し、且つ、前記フック部が前記第１の固定部及び前記第２の固定部の他方に押し当てられることにより、前記第１の部材に対して前記第２の部材のスライド方向に固定され、前記脚部の前記端部が前記開口部の前記周縁部に嵌まり込むことにより、前記第１の部材に対して前記第２の部材のスライド方向と略垂直な方向且つ前記固定面と略平行な方向に固定され、前記第１の固定部の一部が前記一対の突出部の間に挟み込まれることにより、前記第１の部材に対して前記固定面と略垂直な方向に固定される。
【００２５】
本態様によれば、第１の部材は第１の固定部を有し、第２の部材は第２の固定部を有しているので、第２の部材が第１の部材に対して固定面と略平行な方向にスライドされることにより、第２の固定部が第１の固定部に固定される。これにより、例えばネジ等を用いることなく、第２の部材を第１の部材に対して互いに略直交する三方向に固定することができる。その結果、固定部材が設けられる電子機器等の部品点数を削減することができ、且つ、固定部材が設けられる電子機器等の組立工程の工数を削減することができる。
【発明の効果】
【００２６】
本発明の一態様に係る電子機器及び固定構造によれば、電子機器等の部品点数を削減することができ、且つ、電子機器等の組立工程の工数を削減することができる。
【図面の簡単な説明】
【００２７】
【図１】実施の形態１に係る電子機器の外観を示す斜視図である。
【図２】実施の形態１に係る電子機器の一部を分解した状態を示す分解斜視図である。
【図３】第１の固定部を示す平面図である。
【図４】第１の固定部及び第２の固定部を示す要部斜視図である。
【図５】第２の固定部の一部を開口部に挿入した状態を示す要部斜視図である。
【図６】図５中のＡ−Ａ線により切断した第１の固定部及び第２の固定部の要部断面図である。
【図７】ディスクドライブがシャーシに対して固定される直前の状態での、実施の形態１に係る固定構造を示す要部断面図である。
【図８】ディスクドライブがシャーシに対して固定された状態での、実施の形態１に係る固定構造を示す要部斜視図である。
【図９】図８中のＢ−Ｂ線により切断した第１の固定部及び第２の固定部の要部断面図である。
【図１０】図９中のＣ−Ｃ線により切断した第１の固定部及び第２の固定部の要部断面図である。
【図１１】実施の形態２に係る電子機器の固定構造の第２の固定部を示す要部斜視図である。
【図１２】実施の形態３に係る電子機器の固定構造の第１の固定部及び第２の固定部を示す要部斜視図である。
【図１３】ディスクドライブをシャーシに対してスライドさせる前の状態での、実施の形態３に係る固定構造を示す要部断面図である。
【図１４】ディスクドライブがシャーシに対して固定される直前の状態での、実施の形態３に係る固定構造を示す要部断面図である。
【図１５】ディスクドライブがシャーシに対して固定された状態での、実施の形態３に係る固定構造を示す要部断面図である。
【発明を実施するための形態】
【００２８】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２９】
（実施の形態１）
［電子機器の全体構成］
まず、図１及び図２を参照しながら、実施の形態１に係る電子機器の全体構成について説明する。図１は、実施の形態１に係る電子機器の外観を示す斜視図である。図２は、実施の形態１に係る電子機器の一部を分解した状態を示す分解斜視図である。
【００３０】
図１及び図２に示すように、電子機器２は、例えば、光ディスク４（ディスクを構成する）を再生するためのディスク装置である。なお、ディスク装置は、例えば、光ディスク４に記録された情報の再生及び光ディスク４への情報の記録を行うためのブルーレイディスク（ＢＤ：Ｂｌｕ−ｒａｙ（登録商標）  Ｄｉｓｃ）レコーダ等である。光ディスク４は、例えば、ブルーレイディスク、デジタル多用途ディスク（ＤＶＤ：Ｄｉｇｉｔａｌ  Ｖｅｒｓａｔｉｌｅ  Ｄｉｓｃ）又はコンパクトディスク（ＣＤ：Ｃｏｍｐａｃｔ  Ｄｉｓｃ）である。
【００３１】
電子機器２は、筐体６を備えている。筐体６は、シャーシ８（第１の部材を構成する）及びカバー１０が相互に組み合わされることによって、ケース状に構成されている。シャーシ８及びカバー１０はそれぞれ、例えばＳＥＣＣ（Ｓｔｅｅｌ  Ｅｌｅｃｔｒｉｃａｌｌｙ  Ｃｈｒｏｍａｔｅ  Ｃｏａｔｅｄ：電気亜鉛メッキ鋼）等の板金で形成されている。
【００３２】
図２に示すように、上述した筐体６の内部には、光ディスク４を駆動するためのディスクドライブ１２（第２の部材を構成する）が収納されている。ディスクドライブ１２は、ディスクトレイ１４と、ディスクトレイ１４の下側に配置されたトラバースユニット１６とで構成されている。ディスクトレイ１４には、光ディスク４が載置される。トラバースユニット１６には、光ディスク４を回転させるためのターンテーブル（図示せず）及び光ディスク４に記録された情報の読み出し等を行うための光ピックアップ（図示せず）等が設けられている。ディスクドライブ１２は、後述する固定構造１８によってシャーシ８に固定されている。
【００３３】
なお、筐体６の内部には、上述したディスクドライブ１２の他に、例えば配線基板等の複数の部品が収納されているが、説明の都合上、図２ではそれらの図示を省略している。
【００３４】
［固定構造］
次に、図３及び図４をも参照しながら、本実施の形態の電子機器２の特徴的な構成である、ディスクドライブ１２をシャーシ８に固定するための固定構造１８について説明する。図３は、第１の固定部を示す平面図である。図４は、第１の固定部及び第２の固定部を示す要部斜視図である。
【００３５】
図２に示すように、固定構造１８は、シャーシ８に設けられた複数の第１の固定部２０と、ディスクドライブ１２の底面に設けられた複数の第２の固定部２２と、を有している。後述するように、複数の第２の固定部２２の各々が複数の第１の固定部２０の各々に固定されることにより、ディスクドライブ１２は、シャーシ８に対して互いに略直交するＸ方向、Ｙ方向及びＺ方向の三方向に固定される。
【００３６】
なお、Ｘ方向は、後述するようにディスクドライブ１２がシャーシ８に対してスライドされるスライド方向である。Ｙ方向は、ディスクドライブ１２のスライド方向と略垂直な方向であり、且つ、後述する固定面２４と略平行な方向である。Ｚ方向は、後述する固定面２４と略垂直な方向である。
【００３７】
まず、複数の第１の固定部２０の各々の構成について説明する。図２に示すように、複数の第１の固定部２０は、ディスクドライブ１２の四隅に対応して配置されている。なお、複数の第１の固定部２０の各々は同一の構成を有しているので、以下では、複数の第１の固定部２０のうち１つの第１の固定部２０の構成について説明する。
【００３８】
図３に示すように、第１の固定部２０の上面には、ＸＹ平面と略平行に延びる固定面２４が形成されている。なお、第１の固定部２０は、シャーシ８の一部を構成し、固定面２４は、シャーシ８の上面を構成する。さらに、第１の固定部２０には、固定面２４を貫通する開口部２６が設けられている。開口部２６の一端部側には、第２の固定部２２の一部を挿入するための挿入部２８が設けられている。開口部２６の他端部側には、Ｘ方向に延びるスリット部３０が設けられている。図３及び図４に示すように、スリット部３０のＹ方向における幅Ｄは、後述する脚部３８のＹ方向における厚みｄと略同一である。スリット部３０の周縁部の一部には、Ｘ方向に対して傾斜して延びる傾斜部３２が形成されている。スリット部３０の傾斜部３２における幅Ｄ’は、Ｘ方向に且つスリット部３０の先端部３０ａ側に向けて漸減している。
【００３９】
さらに、第１の固定部２０の挿入部２８の近傍における部位には、フック部３４が設けられている。フック部３４は、Ｘ方向に延びており、且つ、固定面２４に対してディスクドライブ１２側とは反対側に傾斜して延びている。フック部３４は、弾性復元力を有しており、ディスクドライブ１２側に撓むことが可能である。なお、フック部３４は、例えば板金の曲げ加工によって形成されている。図３及び図４に示すように、スリット部３０の先端部３０ａとフック部３４の先端部３４ａとの間のＸ方向における距離Ｌは、後述する脚部３８のＸ方向における幅ｌと略同一である。
【００４０】
さらに、第１の固定部２０のスリット部３０の近傍における部位には、突起３６が設けられている。突起３６は、固定面２４からＺ方向に且つディスクドライブ１２側に向けて突出している。突起３６の形状は、例えば円錐台状に構成されている。後述する図６に示すように、突起３６のＺ方向における高さＨは、後述する一対の突出部４０，４２のＺ方向における配置間隔ｈと略同一である。なお、突起３６は、例えば板金の絞り加工によって形成されている。
【００４１】
次に、複数の第２の固定部２２の各々の構成について説明する。図２に示すように、複数の第２の固定部２２は、ディスクドライブ１２の底面における四隅に配置されている。複数の第２の固定部２２の各々は、例えば樹脂で形成されている。なお、複数の第２の固定部２２の各々は同一の構成を有しているので、以下では、複数の第２の固定部２２のうち１つの第２の固定部２２の構成について説明する。
【００４２】
図４に示すように、第２の固定部２２は、脚部３８及び一対の突出部４０，４２を有している。脚部３８は、厚みｄ及び幅ｌを有するプレート状に構成され、ディスクドライブ１２の底面からＺ方向に且つ開口部２６に向けて延びている。一対の突出部４０，４２の各々は、脚部３８の側面からＹ方向に突出している。後述する図６に示すように、一対の突出部４０，４２は、Ｚ方向に間隔ｈを置いて配置され、且つ、Ｘ方向に間隔を置いて配置されている。突出部４２は、Ｚ方向において突出部４０よりもディスクドライブ１２の底面側に配置されている。突出部４０の上面は、ＸＹ平面と略平行に延びている。突出部４０のＸ方向における端部の上面側には、ＸＹ平面に対して傾斜する傾斜部４４が設けられている。また、突出部４２の下面は、ＸＹ平面と略平行に延びている。突出部４２のＸ方向における端部の下面側には、ＸＹ平面に対して傾斜する傾斜部４６が設けられている。
【００４３】
［固定構造による固定手順］
次に、図５〜図１０をも参照しながら、上述した固定構造１８によりディスクドライブ１２をシャーシ８に対して固定する手順について説明する。図５は、第２の固定部の一部を開口部に挿入した状態を示す要部斜視図である。図６は、図５中のＡ−Ａ線により切断した第１の固定部及び第２の固定部の要部断面図である。図７は、ディスクドライブがシャーシに対して固定される直前の状態での、実施の形態１に係る固定構造を示す要部断面図である。図８は、ディスクドライブがシャーシに対して固定された状態での、実施の形態１に係る固定構造を示す要部斜視図である。図９は、図８中のＢ−Ｂ線により切断した第１の固定部及び第２の固定部の要部断面図である。図１０は、図９中のＣ−Ｃ線により切断した第１の固定部及び第２の固定部の要部断面図である。
【００４４】
まず、図５及び図６に示すように、複数の第２の固定部２２の各々の突出部４０を、複数の第１の固定部２０の各々の挿入部２８に挿入するとともに、複数の第２の固定部２２の各々の脚部３８の一部を、複数の第１の固定部２０の各々の開口部２６に挿入する。この状態では、一対の突出部４０，４２は、固定面２４を挟んで互いに反対側に配置されている。すなわち、突出部４２は、ディスクドライブ１２側に配置され、突出部４０は、固定面２４を挟んでディスクドライブ１２側とは反対側に配置されている。
【００４５】
その後、図７中の矢印Ｐで示すように、ディスクドライブ１２をシャーシ８に対してＸ方向にスライドさせる。このとき、突出部４０は、図７中の矢印Ｑで示すようにフック部３４をＺ方向に押し上げながら、フック部３４の下側を通過する。なお、上述したように、突出部４０のＸ方向における端部の上面側には傾斜部４４が設けられているので、突出部４０が第１の固定部２０の固定面２４とは反対側の面に沿ってスライドし始める際に、挿入部２８の周縁部が傾斜部４４上を滑るようになる。これにより、突出部４０をスムーズにスライドさせることができる。
【００４６】
その後、図８及び図９に示すように、脚部３８のＸ方向における端部３８ａがスリット部３０の先端部３０ａ（開口部２６の周縁部及びスリット部３０の周縁部を構成する）に接触するまで、ディスクドライブ１２をシャーシ８に対してＸ方向にさらにスライドさせる。このとき、フック部３４は、図９中の矢印Ｒで示すように、その弾性復元力によって元の位置に復帰する。この状態では、脚部３８の端部３８ａがスリット部３０の先端部３０ａに接触し、且つ、フック部３４の先端部３４ａが突出部４０のＸ方向における端部４０ａに押し当てられる。これにより、ディスクドライブ１２は、シャーシ８に対してＸ方向に固定される。
【００４７】
さらに、図１０に示すように、脚部３８は、スリット部３０の周縁部（開口部２６の周縁部を構成する）に嵌まり込む。この状態では、脚部３８は、Ｙ方向においてスリット部３０の周縁部にほとんど隙間無く嵌まり込んでいる。これにより、ディスクドライブ１２は、シャーシ８に対してＹ方向に固定される。なお、上述したように、スリット部３０の傾斜部３２における幅Ｄ’は、Ｘ方向に且つスリット部３０の先端部３０ａ側に向けて漸減しているので、脚部３８をスリット部３０の周縁部に容易に嵌め込むことができる。
【００４８】
さらに、図９に示すように、突出部４０の下面は、突起３６の上端面に接触し、且つ、突出部４２の上面の一部は、第１の固定部２０の固定面２４とは反対側の面（すなわち、シャーシ８の下面）に接触する。その結果、突起３６及び第１の固定部２０の一部は、一対の突出部４０，４２の間に挟み込まれる。これにより、ディスクドライブ１２は、シャーシ８に対してＺ方向に固定される。なお、上述したように、突出部４２のＸ方向における端部の下面側には傾斜部４６が設けられているので、突出部４２が突起３６の上端面に乗り上げ始める際に、突起３６の上端面の周縁部が傾斜部４６上を滑るようになる。これにより、突出部４２を突起３６の上端面にスムーズに乗り上げさせることができる。
【００４９】
以上のようにして、ディスクドライブ１２は、シャーシ８に対してＸ方向、Ｙ方向及びＺ方向の三方向に固定される。
【００５０】
なお、ディスクドライブ１２をシャーシ８から取り外す際には、手指等でフック部３４をＺ方向に押し上げながら、ディスクドライブ１２をシャーシ８に対してＸ方向に（図７中の矢印Ｐで示す方向とは反対方向に）スライドさせればよい。
【００５１】
［効果］
次に、本実施の形態の電子機器２の固定構造１８により得られる効果について説明する。上述したように、複数の第２の固定部２２の各々の一部を複数の第１の固定部２０の各々の開口部２６に挿入した状態で、ディスクドライブ１２をシャーシ８に対してＸ方向にスライドさせることにより、複数の第２の固定部２２の各々が複数の第１の固定部２０の各々に固定される。これにより、例えばネジ等を用いることなく、ディスクドライブ１２をシャーシ８に対してＸ方向、Ｙ方向及びＺ方向の三方向に固定することができる。その結果、電子機器２の部品点数を削減することができ、且つ、電子機器２の組立工程の工数を削減することができる。
【００５２】
（実施の形態２）
次に、図１１を参照しながら、実施の形態２に係る電子機器及び固定構造について説明する。図１１は、実施の形態２に係る電子機器の固定構造の第２の固定部を示す要部斜視図である。なお、以下の各実施の形態において、上記実施の形態１と同一の構成要素には同一の符号を付して、その説明を省略する。
【００５３】
図１１に示すように、本実施の形態の固定構造１８Ａの第２の固定部２２Ａでは、突出部４０ＡのＸ方向における端部４０ａには、Ｙ方向に延びる凹部４８が設けられている。ディスクドライブ１２（図２参照）をシャーシ８（図２参照）に対して固定した際には、フック部３４の先端部３４ａは、この凹部４８に食い込むようにして押し当てられる。これにより、ディスクドライブ１２をシャーシ８に対してＸ方向により確実に固定することができる。
【００５４】
（実施の形態３）
次に、図１２〜図１５を参照しながら、実施の形態３に係る電子機器及び固定構造について説明する。図１２は、実施の形態３に係る電子機器の固定構造の第１の固定部及び第２の固定部を示す要部斜視図である。図１３は、ディスクドライブをシャーシに対してスライドさせる前の状態での、実施の形態３に係る固定構造を示す要部断面図である。図１４は、ディスクドライブがシャーシに対して固定される直前の状態での、実施の形態３に係る固定構造を示す要部断面図である。図１５は、ディスクドライブがシャーシに対して固定された状態での、実施の形態３に係る固定構造を示す要部断面図である。
【００５５】
図１２に示すように、本実施の形態の固定構造１８Ｂでは、第１の固定部２０Ｂには、上記実施の形態１のフック部３４に代えて、ストッパ部５０が設けられている。このストッパ部５０は、固定面２４からＺ方向に且つディスクドライブ１２（図２参照）側に向けて突出している。
【００５６】
さらに、図１２に示すように、第２の固定部２２Ｂの脚部３８の側面には、Ｘ方向に延びるフック部５２が設けられている。フック部５２は、弾性復元力を有しており、ディスクドライブ１２側に撓むことが可能である。
【００５７】
次に、図１３〜図１５をも参照しながら、上述した固定構造１８Ｂによりディスクドライブ１２をシャーシ８に対して固定する手順について説明する。
【００５８】
まず、図１３に示すように、複数の第２の固定部２２Ｂの各々の突出部４０を、複数の第１の固定部２０Ｂの各々の挿入部２８に挿入するとともに、複数の第２の固定部２２Ｂの各々の脚部３８の一部を、複数の第１の固定部２０Ｂの各々の開口部２６に挿入する。
【００５９】
その後、図１４中の矢印Ｐで示すように、ディスクドライブ１２をシャーシ８に対してＸ方向にスライドさせる。このとき、フック部５２は、図１４中の矢印Ｓで示すようにストッパ部５０によってＺ方向に押し上げられながら、ストッパ部５０の上側を通過する。
【００６０】
その後、図１５に示すように、脚部３８のＸ方向における端部３８ａがスリット部３０の先端部３０ａに接触するまで、ディスクドライブ１２をシャーシ８に対してＸ方向にさらにスライドさせる。このとき、フック部５２は、図１５中の矢印Ｔで示すように、その弾性復元力によって元の位置に復帰する。この状態では、脚部３８の端部３８ａがスリット部３０の先端部３０ａに接触し、且つ、フック部５２の先端部５２ａがストッパ部５０に押し当てられる。これにより、ディスクドライブ１２は、シャーシ８に対してＸ方向に固定される。
【００６１】
以上、本発明の実施の形態に係る電子機器及び固定構造について説明したが、本発明は、これらの実施の形態に限定されるものではない。例えば、上記各実施の形態を組み合わせてもよい。
【００６２】
上記各実施の形態では、電子機器としてのディスク装置は、ブルーレイディスクレコーダであるが、これに限定されず、例えばブルーレイディスクプレーヤ、ＤＶＤレコーダ、ＤＶＤプレーヤ又はＣＤプレーヤ等でもよい。また、ディスクは、光ディスクの他に、ハードディスク等の磁気ディスクでもよい。
【００６３】
上記各実施の形態では、電子機器をディスク装置で構成したが、これに限定されず、電子機器を例えばパーソナルコンピュータ及びテレビジョン受像機等のあらゆる家電機器で構成することができる。あるいは、電子機器を例えば産業用機器及び医療用機器等で構成することもできる。例えば、第１の部材としてのシャーシに対して、第２の部材としての電源ユニットを固定する場合等に、上述した固定構造を適用することができる。
【００６４】
上記各実施の形態では、固定構造を電子機器に設けたが、これに限定されず、例えば固定構造を家具又は建具等に設けることもできる。例えば、第１の部材としての屋内の壁に対して、第２の部材としての壁掛け用の装飾品を固定する場合等に、上述した固定構造を適用することができる。
【００６５】
上記各実施の形態では、第１の固定部に突起を設けたが、この突起を省略することもできる。この場合には、一対の突出部のＺ方向における配置間隔を第１の固定部の厚み（すなわち、シャーシの厚み）と略同一にすることにより、第１の固定部の一部が一対の突出部の間に挟み込まれる。これにより、ディスクドライブは、シャーシに対してＺ方向に固定される。
【産業上の利用可能性】
【００６６】
本発明の電子機器は、例えばディスクを再生するためのディスク装置等として適用することができる。
【符号の説明】
【００６７】
２  電子機器
４  光ディスク
６  筐体
８  シャーシ
１０  カバー
１２  ディスクドライブ
１４  ディスクトレイ
１６  トラバースユニット
１８，１８Ａ，１８Ｂ  固定構造
２０，２０Ｂ  第１の固定部
２２，２２Ａ，２２Ｂ  第２の固定部
２４  固定面
２６  開口部
２８  挿入部
３０  スリット部
３０ａ，３４ａ，５２ａ  先端部
３２  傾斜部
３４，５２  フック部
３６  突起
３８  脚部
３８ａ，４０ａ  端部
４０，４０Ａ，４２  突出部
４４，４６  傾斜部
４８  凹部
５０  ストッパ部
【図１】
2015026407.tif 000003
【図２】
2015026407.tif 000004
【図３】
2015026407.tif 000005
【図４】
2015026407.tif 000006
【図５】
2015026407.tif 000007
【図６】
2015026407.tif 000008
【図７】
2015026407.tif 000009
【図８】
2015026407.tif 000010
【図９】
2015026407.tif 000011
【図１０】
2015026407.tif 000012
【図１１】
2015026407.tif 000013
【図１２】
2015026407.tif 000014
【図１３】
2015026407.tif 000015
【図１４】
2015026407.tif 000016
【図１５】
2015026407.tif 000017